(57)【特許請求の範囲】
【請求項１】
コンタクトを有し、レセプタクルに挿抜することで前記コンタクトとレセプタクルに具備されたコンタクトとが接離されるコネクタプラグであって、コンタクトが内部に配設されるハウジングと、ハウジングに収納されるベースと、ベースに突設された弾性を有するアームと、アーム先端から突出して先端部に係合爪を有する突出片と、アーム先端側に配置され、押し込まれることにより、アームに当接して押し込み方向に略垂直な方向にアームを撓ませ、突出片の係合爪をレセプタクルの係合部に係脱自在に変位させる押込み部とを備え、アームの少なくとも基部にアームを貫通する貫通部を設け、アームを略Ｔ字状に形成して先端側が幅広になるようにベースから突出させるとともに、貫通部をアーム基部から先端に達するまで設け、突出片をアーム先端側の貫通部を間に挟んだ幅広方向両端部からそれぞれ略平行に配列するように突出させたことを特徴とするコネクタプラグ。
【請求項２】
コンタクトを有し、レセプタクルに挿抜することで前記コンタクトとレセプタクルに具備されたコンタクトとが接離されるコネクタプラグであって、コンタクトが内部に配設されるハウジングと、ハウジングに収納されるベースと、ベースに突設された弾性を有するアームと、アーム先端から突出して先端部に係合爪を有する突出片と、アーム先端側に配置され、押し込まれることにより、アームに当接して押し込み方向に略垂直な方向にアームを撓ませ、突出片の係合爪をレセプタクルの係合部に係脱自在に変位させる押込み部とを備え、アームの少なくとも基部にアームを貫通する貫通部を設け、アームを基部から先端側に向かうにつれて幅広になるように形成するとともに、貫通部をアーム基部から先端に達するまで先端側に向かうにつれて幅広となるように設け、突出片をアーム先端側の貫通部を間に挟んだ幅広方向両端部からそれぞれ略平行に配列するように突出させたことを特徴とするコネクタプラグ。
【請求項３】
コンタクトを有し、レセプタクルに挿抜することで前記コンタクトとレセプタクルに具備されたコンタクトとが接離されるコネクタプラグであって、コンタクトが内部に配設されるハウジングと、ハウジングに収納されるベースと、ベースに突設された弾性を有するアームと、アーム先端から突出して先端部に係合爪を有する突出片と、アーム先端側に配置され、押し込まれることにより、アームに当接して押し込み方向に略垂直な方向にアームを撓ませ、突出片の係合爪をレセプタクルの係合部に係脱自在に変位させる押込み部とを備え、アームの少なくとも基部にアームを貫通する貫通部を設け、アームを略矩形状に形成し、貫通部の周縁がアーム周部に沿うように貫通部を孔状に形成するとともに、突出片をアーム先端側のアーム突出方向に略垂直な方向の両端部からそれぞれ略平行に配列するように突出させたことを特徴とするコネクタプラグ。
【請求項４】
コンタクトを有し、レセプタクルに挿抜することで前記コンタクトとレセプタクルに具備されたコンタクトとが接離されるコネクタプラグであって、コンタクトが内部に配設されるハウジングと、ハウジングに収納されるベースと、ベースに突設された弾性を有するアームと、アーム先端から突出して先端部に係合爪を有する突出片と、アーム先端側に配置され、押し込まれることにより、アームに当接して押し込み方向に略垂直な方向にアームを撓ませ、突出片の係合爪をレセプタクルの係合部に係脱自在に変位させる押込み部とを備え、アームの少なくとも基部にアームを貫通する貫通部を設け、アームを基部から先端側に向かうにつれて幅広になるように形成し、貫通部の周縁がアーム周部に沿うように貫通部を孔状に形成するとともに、突出片をアーム先端側の幅広方向両端部からそれぞれ略平行に配列するように突出させたことを特徴とするコネクタプラグ。
【発明の詳細な説明】
【０００１】
【発明の属する技術分野】
本発明は、コネクタプラグに関するものである。
【０００２】
【従来の技術】
従来より、図１３に示すように、コンタクトを有し、例えば携帯電話などに設けられたレセプタクルＡに挿抜することで前記コンタクトとレセプタクルＡに具備されたコンタクトとが接離されるコネクタプラグが提供されている。このようなコネクタプラグは、例えばコネクタプラグ側の機器と携帯電話との間で電気信号を相互に送受信したり、携帯電話側に電源を供給したりするときなどに、携帯電話側のレセプタクルＡに挿入接続されるものである。
【０００３】
従来のコネクタプラグは、図１４に示すように、コンタクトが内部に配設される合成樹脂製のハウジング１０と、ハウジング１０に収納される１枚の金属板からなるシェル２０とを備えている。
【０００４】
シェル２０は、図１５に示すように、略平板状のベース２０ａと、ベース２０ａに先端側が幅広となるように突設された弾性を有する略Ｔ字状のアーム２１’と、アーム２１’先端から互いに略平行となるように突出して先端部に係合爪２２ａを有する１対の突出片２２，２２と、アーム２１’先端側を挟むように配置され、互いに内側に押し込まれることにより、傾斜面２３ａをアーム２１’に当接させて、押し込み方向に略垂直な方向にアーム２１’を撓ませ、突出片２２の係合爪２２ａをレセプタクルＡの係合孔１に係脱自在に変位させる押込み部２３とを備えている。
【０００５】
ここで、係合爪２２ａの変位方向の説明を簡単にするために、図１８に示すように、三次元直交座標系を用い、１対の突出片２２，２２の配列方向をｘ軸方向、突出片２２の突出方向をｙ軸方向、そして１対の突出片２２，２２に沿った面と略垂直な方向をｚ軸方向とする。そこで、上述のように押込み部２３を押し込んだときには、係合爪２２ａはｚ軸方向に変位するのである。
【０００６】
上述のシェル２０を形成するときには、例えばＳＵＳなどからなる金属板を打ち抜いてベース２０ａ、アーム２１’、突出片２２を形成し、ベース２０ａのアーム２１’を間に挟む両側部から突出する部材を折り曲げて押込み部２３，２３を形成している。そして、アーム２１’先端側の幅広方向両端部は、ベース２０ａに対して略垂直な方向であって押込み部２３と同じ向きに折り曲げられる。
【０００７】
突出片２２，２２は、アーム２１’先端側の幅広方向両端部からアーム２１’の突出方向に沿って延設されており、係合爪２２ａは、突出片２２先端におけるベース２０ａ側に形成され、突出片２２先端側に向かうにつれて幅狭となる傾斜面２２ｂを有している。
【０００８】
押込み部２３、２３は、それぞれベース２０ａの側部に沿ってベース２０ａから隙間を空けて撓み自在に形成され、上述の傾斜面２３ａは、図１６に示すように、押込み部２３，２３先端側におけるアーム２１’先端側幅広方向の各端に対応する部位に設けられている。
【０００９】
なお、シェル２０は、コンタクトに接続される電線が束ねられたケーブル１を、内側に載置してかしめることによりこれを固定する固定部２４を備えている。
【００１０】
ハウジング１０は、内部にケーブル１の一端が導入されるとともに、上述のシェル２０が載置される本体１０ａと、本体１０ａのケーブル１が導入される側と反対側の一端から突出し、内部にコンタクトが配設され、レセプタクルＡに挿抜される挿抜部１０ｂとからなる。本体１０ａの両側部には、操作片１１が本体１０ａ側面に対して略垂直な方向に撓み自在に一体に形成されており、この操作片１１には本体１０ａ側面から外側に突出する操作釦１１ａが設けられている。
【００１１】
ここで、上述のシェル２０をハウジング１０内に収めたときには、シェル２０の１対の突出片２２が本体１０ａから挿抜部１０ｂ側に突出するとともに、挿抜部１０ｂの開口面と略垂直な方向に沿って形成された溝部１２から係合爪２２が挿抜部１０ｂ外側に突出する。そして、シェル２０の押込み部２３は、操作片１１の操作釦１１ａが形成された部位の裏面側と略対向するように配置される。
【００１２】
そこで、ハウジング１０両側部の操作釦１１ａ，１１ａを手で内側に押込むと、操作片１１，１１が撓み、操作片１１の裏面がハウジング１０内部の押込み部２３を押圧して内側に撓ませる。その結果、アーム２１’の突出方向に沿った部位が撓んで、アーム２１’先端側の幅広方向両端部は、図１７に示すように、押込み部２３の傾斜面２３ａに押圧されてこれに沿って変位し、前記両側部とともに突出片２２も変位する。これにより、突出片２２の係合爪２２ａはｚ軸方向に変位し、挿抜部１０ｂ外面から突出していた係合爪２２ａが溝部１２の奥側に隠れるのである。また、操作釦１１ａから手を離したときには、操作片１１及び押込み部２３の弾性力により、それぞれの撓みが解除され、係合爪２２ａが元の状態に戻って挿抜部１０ｂ外側に突出する。
【００１３】
レセプタクルＡは、一面を開口した略箱状の箱体４１を備え、この箱体４１内部にコンタクトが配設されている。そして、箱体４１の開口面から上述の挿抜部１０ｂが挿入され、それぞれのコンタクトが電気的に接続される。また、箱体４１における挿抜部１０ｂから突出する係合爪２２ａに対応する部位には、略矩形状の係合孔４２が形成されている。そこで、上述のように挿抜部１０ｂを箱体４１に挿入するときには、係合爪２２ａの傾斜面２２ｂが箱体４１の内面に押圧されて突出片２２が溝部１２奥側に撓み、係合爪２２ａが溝部１２内に隠れた状態で挿入され、それぞれのコンタクトが接続される位置まで挿入されると、係合爪２２ａが係合孔４２に挿入し、係合爪２２ａと係合孔４２とが係合することで、ハウジング１０と箱体４１とがロックされる。そして、ハウジング１０を箱体４１から外すときには、上述のように操作釦１１ａ，１１ａを内側に押し込み、係合爪２２ａを溝部１２奥側に変位させることで上述の係合を解除する。
【００１４】
【発明が解決しようとする課題】
ところで上記従来例では、図１３に示すように、操作釦１１ａが押し込まれて変位する方向ａを、押込み部２３の傾斜面２３ａにより、方向ａと略垂直なｚ軸方向に変換し、このｚ軸方向に沿って係合爪２２ａを変位させている。
【００１５】
しかしながら、上記従来の略Ｔ字状のアーム２１’では、アーム２１’の突出方向に沿った部位が、突出方向と略垂直な方向に幅広のアーム２１’先端部を支持しているものの、アーム２１’先端部における押込み部２３に当接する作用点と、支持される支点との距離が長いために、操作釦１１ａが押し込まれて押込み部２３によりアーム２１’先端部が押圧されると、幅広方向内側に撓んでしまい、係合爪２２ａは、上述のｚ軸方向以外にもｘ軸方向の内側と、ｙ軸方向における突出片２２の突出する向きと反対側にも変位し、操作釦１１ａの押込み量に比べて係合爪２２ａのｚ軸方向に沿った変位量が小さく、操作釦１１ａを押し込んでも適切な変位量だけ係合爪２２ａを溝部１２奥側に変位させることができないといった問題があった。
【００１６】
例えば、操作釦１１ａを０．０８６［Ｎ］（８．８［ｇｆ]）の操作力で１．５８［ｍｍ］押し込んだときには、各係合爪２２ａは、図１８中のｚ軸方向に１．４６ｍｍしか変位せず、ｘ軸方向並びにｙ軸方向にそれぞれ０．０９［ｍｍ］、−０．１４［ｍｍ］変位してしまう。ここで、前記変位量は、図１８中の各矢印の向きを正、逆向きを負として示しており、前記ｙ軸方向の−０．１４［ｍｍ］は、突出片２２の突出する向きと逆向きに変位していることを示す。なお、上述のように操作釦１１ａを押し込んだときには、０．０６３［Ｎ］（６．４［ｇｆ］）の復帰力がかかっている。
【００１７】
また、レセプタクルＡに挿入して各係合爪２２ａを係合孔４２に係合させてハウジング１０をレセプタクルＡと反対方向に引っ張ったときには、アーム２１’の先端部が幅広方向内側に撓んで変形し、且つ引っ張り方向に伸びるように変形し易く、前記変形が著しい場合は、アーム２１’の弾性力により元の状態に戻ることができなくなるなどの問題がある。
【００１８】
例えば、各係合爪２２ａを突出片２２の突出方向に４９［Ｎ］の力で引っ張ったときには、各係合爪２２ａは、ｚ軸方向に−０．７８［ｍｍ］、ｘ軸方向に０．６２［ｍｍ］、ｙ軸方向に０．４８［ｍｍ］変位してしまう。
【００１９】
さらに、アーム２１’は、ベース２０ａに接する部位周辺である基部を中心に先端側がひねられると簡単に変形し、例えばハウジング１０の挿抜部１０ｂをレセプタクルＡに挿入した状態で、挿入方向を軸にハウジング１０をひねる方向に力を加えたときには、アーム２１’が変形して係合爪２２ａと係合孔４２との係合が外れ易くなってしまうこともあった。またアーム２１’をレセプタクルＡに挿入していない状態であっても、上述のようにひねられると、２つの係合爪２２ａ，２２ａのベース２０ａから略垂直な方向の高さが異なってしまうという問題もあった。
【００２０】
本発明は上記問題点の解決を目的とするものであり、押し込み量に応じて係合爪を適切に変位させるコネクタプラグを提供する。
【００２１】
【課題を解決するための手段】
上記目的を達成するために、請求項１の発明は、コンタクトを有し、レセプタクルに挿抜することで前記コンタクトとレセプタクルに具備されたコンタクトとが接離されるコネクタプラグであって、コンタクトが内部に配設されるハウジングと、ハウジングに収納されるベースと、ベースに突設された弾性を有するアームと、アーム先端から突出して先端部に係合爪を有する突出片と、アーム先端側に配置され、押し込まれることにより、アームに当接して押し込み方向に略垂直な方向にアームを撓ませ、突出片の係合爪をレセプタクルの係合部に係脱自在に変位させる押込み部とを備え、アームの少なくとも基部にアームを貫通する貫通部を設け、アームを略Ｔ字状に形成して先端側が幅広になるようにベースから突出させるとともに、貫通部をアーム基部から先端に達するまで設け、突出片をアーム先端側の貫通部を間に挟んだ幅広方向両端部からそれぞれ略平行に配列するように突出させたことを特徴とし、貫通部を設けたことによって、アーム先端部における押込み部に当接する作用点に、アーム先端部を内側に撓ませる支点を近付けて、作用点と支点との距離を短くし、従来例のようなアーム先端部の内側への撓みを抑えるとともに、アームを押込み部の押し込み方向と略垂直な方向に撓み易くして、押し込み部の押し込み量に応じて係合爪を適切に変位させることができる。
【００２３】
上記目的を達成するために、請求項２の発明は、コンタクトを有し、レセプタクルに挿抜することで前記コンタクトとレセプタクルに具備されたコンタクトとが接離されるコネクタプラグであって、コンタクトが内部に配設されるハウジングと、ハウジングに収納されるベースと、ベースに突設された弾性を有するアームと、アーム先端から突出して先端部に係合爪を有する突出片と、アーム先端側に配置され、押し込まれることにより、アームに当接して押し込み方向に略垂直な方向にアームを撓ませ、突出片の係合爪をレセプタクルの係合部に係脱自在に変位させる押込み部とを備え、アームの少なくとも基部にアームを貫通する貫通部を設け、アームを基部から先端側に向かうにつれて幅広になるように形成するとともに、貫通部をアーム基部から先端に達するまで先端側に向かうにつれて幅広となるように設け、突出片をアーム先端側の貫通部を間に挟んだ幅広方向両端部からそれぞれ略平行に配列するように突出させたことを特徴とし、貫通部を先端側が幅広と成るように設けたことによって、アーム先端部における押込み部に当接する作用点を請求項１の発明よりも、アーム先端部を内側に撓ませる支点に近付けて、作用点と支点との距離を短くし、アーム先端部の内側への撓みを抑えるとともに、アームを押込み部の押し込み方向と略垂直な方向に撓み易くして、押し込み部の押し込み量に応じて係合爪を適切に変位させることができ、さらに、レセプタクルに挿入して２つの係合爪をレセプタクルの係合部に係合させた状態で、挿入方向を軸にひねる力を加えてもアーム先端側に力が加わり難く、アームの変形を抑えて係合爪とレセプタクルの係合部との係合を外れ難くすることができる。
【００２４】
上記目的を達成するために、請求項３の発明は、コンタクトを有し、レセプタクルに挿抜することで前記コンタクトとレセプタクルに具備されたコンタクトとが接離されるコネクタプラグであって、コンタクトが内部に配設されるハウジングと、ハウジングに収納されるベースと、ベースに突設された弾性を有するアームと、アーム先端から突出して先端部に係合爪を有する突出片と、アーム先端側に配置され、押し込まれることにより、アームに当接して押し込み方向に略垂直な方向にアームを撓ませ、突出片の係合爪をレセプタクルの係合部に係脱自在に変位させる押込み部とを備え、アームの少なくとも基部にアームを貫通する貫通部を設け、アームを略矩形状に形成し、貫通部の周縁がアーム周部に沿うように貫通部を孔状に形成するとともに、突出片をアーム先端側のアーム突出方向に略垂直な方向の両端部からそれぞれ略平行に配列するように突出させたことを特徴とし、アーム先端部における押込み部に当接する作用点を、アーム先端部を内側に撓ませる支点に近付けて、作用点と支点との距離を短くし、アーム先端部の内側への撓みを抑えて、押し込み部の押し込み量に応じて係合爪を適切に変位させることができるとともに、アームの全体的な剛性を高め、レセプタクルに挿入して２つの係合爪をレセプタクルの係合部に係合させた状態で、挿入方向を軸にひねる力を加えても、挿入方向と反対側に引っ張る力を加えても、アームの変形を抑えて係合爪とレセプタクルの係合部との係合を外れ難くすることができ、またアームの変形による２つの係合爪のベースからの距離のバラツキを抑えることができる。
【００２５】
上記目的を達成するために、請求項４の発明は、コンタクトを有し、レセプタクルに挿抜することで前記コンタクトとレセプタクルに具備されたコンタクトとが接離されるコネクタプラグであって、コンタクトが内部に配設されるハウジングと、ハウジングに収納されるベースと、ベースに突設された弾性を有するアームと、アーム先端から突出して先端部に係合爪を有する突出片と、アーム先端側に配置され、押し込まれることにより、アームに当接して押し込み方向に略垂直な方向にアームを撓ませ、突出片の係合爪をレセプタクルの係合部に係脱自在に変位させる押込み部とを備え、アームの少なくとも基部にアームを貫通する貫通部を設け、アームを基部から先端側に向かうにつれて幅広になるように形成し、貫通部の周縁がアーム周部に沿うように貫通部を孔状に形成するとともに、突出片をアーム先端側の幅広方向両端部からそれぞれ略平行に配列するように突出させたことを特徴とし、アーム先端部における押込み部に当接する作用点を、アーム先端部を内側に撓ませる支点に近付けて、作用点と支点との距離を短くし、アーム先端部の内側への撓みを抑えて、押し込み部の押し込み量に応じて係合爪を適切に変位させることができるとともに、アームの全体的な剛性を高め、レセプタクルに挿入して２つの係合爪をレセプタクルの係合部に係合させた状態で、挿入方向を軸にひねる力を加えても、挿入方向と反対側に引っ張る力を加えても、アームの変形を抑えて係合爪とレセプタクルの係合部との係合を外れ難くすることができ、またアームの変形による２つの係合爪のベースからの距離のバラツキを抑えることができ、さらに、請求項３の発明と比べてアームにおける貫通部を間に挟む両側部の長さが長くなることによって、アームを押込み部の押し込み方向と略垂直な方向に撓み易くして、弱い力で押し込み部を押し込んで係合爪を変位させることができる。
【００２６】
【発明の実施の形態】
（実施形態１）
本実施形態における基本構成は従来例と共通するために共通する部分については同一の符号を付して説明を省略し、本実施形態の特徴となる部分についてのみ詳細に説明する。
【００２７】
本実施形態のアーム２１は略Ｔ字状に形成され、図１〜図３に示すように、表裏に貫通するスリット２５ａをアーム２１のベース２０ａに接する部位周辺である基部から先端に達するまで設けて、アーム２１を２つのアーム片２１ａ，２１ａから構成している。また各突出片２２は、アーム２１先端側のスリット２５ａを挟んで幅広方向両端部からそれぞれ略平行に配列するよに突出されている。これによって、アーム２１先端部を内側に撓ませる支点をアーム片２１ａ先端部におけるスリット２５ａ周辺の部位として、各アーム片２１ａ先端部における押込み部２３に当接する部位となる作用点に上述の支点を従来例よりも近付けて、作用点と支点との距離を短くしている。
【００２８】
その結果、操作釦１１ａを押し込んで、押込み部２３の傾斜面２３ａがアーム２１の先端部を内側に押圧して従来例のように内側に撓ませようとしても、アーム２１先端部の内側への撓みが抑えられるとともに、スリット２５ａによって各アーム片２１ａを押込み部２３の押し込み方向と略垂直な方向に撓み易くして、係合爪２２ａのｚ軸方向の変位量を従来例よりも大きくしているのである。
【００２９】
例えば、操作釦１１ａを従来例と同様に、０．０８６［Ｎ］（８．８［ｇｆ］）の操作力で１．５８［ｍｍ］押し込んだときには、各係合爪２２ａをｚ軸方向に従来例より０．０５［ｍｍ］長い１．５１［ｍｍ］変位させることができるとともに、係合爪２２ａのｘ軸方向への変位量を従来例より０．０３［ｍｍ］短くして０．０６［ｍｍ］とすることができる。また、係合爪２２ａのｙ軸方向への変位量は−０．１６［ｍｍ］となる。なお、上述のように操作釦１１ａを押し込んだときには、０．０６３［Ｎ］（６．４［ｇｆ］）の復帰力がかかっている。
【００３０】
さらに、各係合爪２２ａを突出片２２の突出方向に４９［Ｎ］の力で引っ張ったときには、各係合爪２２ａのｘ軸方向及びｙ軸方向の変位量は、従来例よりも短くなって、それぞれ０．５７［ｍｍ］、０．４３［ｍｍ］となる。従って、レセプタクルＡに挿入して各係合爪２２ａを係合孔４２に係合させてハウジング１０をレセプタクルＡと反対方向に引っ張ったときにも、アーム２１先端部の幅広方向内側への変形、及び引っ張り方向への変形を従来例よりも抑えることができるのである。
（実施形態２）
本実施形態における基本構成は実施形態１及び２と共通するために共通する部分については同一の符号を付して説明を省略し、本実施形態の特徴となる部分についてのみ詳細に説明する。
【００３１】
本実施形態では、図４〜図６に示すように、アーム２１を基部から先端側に向かうにつれて幅広になるように形成するとともに、スリット２５ａを基部から先端に達するまで先端側に向かうにつれて幅広となるように形成している。これにより、アーム２１先端部を内側に撓ませる支点を、アーム片２１ａ先端部におけるスリット２５ａ周辺の部位として、アーム２１先端部における押込み部２３に当接する作用点に上述の支点を、実施形態１と比べてさらに近付けて、作用点と支点との距離を短くしている。
【００３２】
その結果、操作釦１１ａを押し込んだときには、押込み部２３の傾斜面２３ａがアーム２１先端部を内側に押圧し、従来例のように内側に撓ませようとしても、アーム２１先端部の内側への撓みがさらに抑えられるとともに、スリット２５ａによって各アーム片２１ａを押込み部２３の押し込み方向と略垂直な方向に撓み易くして、係合爪２２ａのｚ軸方向の変位量を実施形態１よりも大きくしているのである。
【００３３】
例えば、操作釦１１ａを従来例と同様に、１．５８［ｍｍ］押し込んだときには、各係合爪２２ａをｚ軸方向に実施形態１より０．０３［ｍｍ］長い１．５４［ｍｍ］変位させることができるとともに、各係合爪２２ａのｘ軸方向への変位量を実施形態１より０．０１［ｍｍ］短くして０．０５［ｍｍ］とすることができる。また、係合爪２２ａのｙ軸方向への変位量は−０．１７［ｍｍ］となる。なお、操作釦１１ａを押込むときには０．０９２［Ｎ］（９．４［ｇｆ］）の操作力を要し、０．０６７［Ｎ］（６．８［ｇｆ］）の復帰力がかかっている。
【００３４】
さらに、各係合爪２２ａを突出片２２の突出方向に４９［Ｎ］の力で引っ張ったときには、各係合爪２２ａのｚ軸方向の変位量は−０．８２［ｍｍ］となるものの、ｘ軸方向及びｙ軸方向の変位量は、実施形態１よりも短くなって、それぞれ０．５７［ｍｍ］、０．４３［ｍｍ］となる。従って、レセプタクルＡに挿入して各係合爪２２ａを係合孔４２に係合させてハウジング１０をレセプタクルＡと反対方向に引っ張ったときにも、アーム２１先端部の内側への変形、及び引っ張り方向への変形を実施形態１よりも抑えることができる。
【００３５】
また、上述の作用点と支点との距離が実施形態１と比べて短いことによって、ハウジング１０の挿抜部１０ｂをレセプタクルＡに挿入した状態で、挿入方向を軸にハウジング１０をひねる方向に力を加えたときにも、各アーム片２１先端部に力が加わり難く、アーム２１の変形を抑えて、係合爪２２ａと係合孔４２の係合を外れ難くすることができる。
（実施形態３）
ところで、実施形態１及び２では、アーム２１にスリット２５ａを設けることで、先端に突出片２２がそれぞれ１つずつ形成されたアーム片２１ａ，２１ａを形成しており、一方のアーム片２１ａの先端側は、他方のアーム片２１ａから独立した状態となっている。これにより、各アーム片２１ａの先端側は相互に変位し易くなって、２つの突出片２２の係合爪２２ａにおけるベース２０ａから略垂直な方向の高さがそれぞれ異なり易くなり、その結果、例えば一方の係合爪２２ａをレセプタクルＡ側の係合孔４２に係合させることができないということがある。
【００３６】
そこで本実施形態では、図７〜図１０に示すように、アーム２１を略矩形状に形成するとともに、このアーム２１に貫通孔２５ｂを周縁がアーム２１周部に沿うように形成している。これにより、アーム２１の貫通孔２５ｂを間に挟んで両側部に位置する各アーム片２１ａ’は、先端側で一体に接続された形となり、それぞれの各アーム片２１ａ’先端側の独立した動きが規制され、上述のような２つの突出片２２の係合爪２２ａのベース２０ａからの高さのバラツキを抑えることができる。
【００３７】
さらに本実施形態では、アーム２１を上述のように形成したことによって、実施形態１及び２と比べてアーム２１の全体的な剛性が高められている。
【００３８】
これにより、操作釦１１ａを押し込んだときに、押込み部２３の傾斜面２３ａがアーム２１の先端部を内側に押圧し、アーム２１先端部を１対の突出片２２，２２配列方向内側に撓ませようとしても、アーム２１先端部は実施形態１及び２と比べて内側に撓み難くなっている。そして、実施形態１及び２よりも操作釦１１ａを強く押し込むと、アーム２１の先端部が押込み部２３の傾斜面２３ａに沿って変位しながら、各アーム片２１ａ’が１対の突出片２２，２２に沿った面に略垂直な方向に撓み、その結果、係合爪２２ａのｚ軸方向の変位量を実施形態１及び２と比べてさらに大きくすることができる。
【００３９】
例えば、操作釦１１ａを、実施形態１及び２並びに従来例よりも大きい０．１２［Ｎ］（１２．０［ｇｆ]）の操作力で１．５８［ｍｍ］押し込んだときには、各係合爪２２ａをｚ軸方向に上述の押込み量（１．５８［ｍｍ］）と略等しい１．５５［ｍｍ］変位させることができるとともに、係合爪２２ａのｘ軸方向への変位量を０．０２［ｍｍ］と小さくすることができる。また、係合爪２２ａのｙ軸方向への変位量は−０．１９［ｍｍ］となる。なお、上述のように操作釦１１ａを押し込んだときには、０．０８１［Ｎ］（８．３［ｇｆ］）の復帰力がかかっている。
【００４０】
さらに、例えば各係合爪２２ａを突出片２２の突出方向に４９［Ｎ］の力で引っ張った場合には、各係合爪２２ａのｚ軸方向の変位量は−０．８５［ｍｍ］となるものの、ｘ軸方向及びｙ軸方向の変位量は、それぞれ０．０７［ｍｍ］、０．１６［ｍｍ］と実施形態２と比べて小さくなる。従って、レセプタクルＡに挿入して各係合爪２２ａを係合孔４２に係合させてハウジング１０をレセプタクルＡと反対方向に引っ張ったときにも、アーム２１先端側の内側への変形、及び引っ張り方向への変形を実施形態２よりも抑えることができる。
【００４１】
また、ハウジング１０の挿抜部１０ｂをレセプタクルＡに挿入した状態で、挿入方向を軸にハウジング１０をひねる方向に力を加えたときにも、アーム２１の剛性が高められた結果、アーム２１の変形を抑えて、係合爪２２ａと係合孔４２の係合を外れ難くすることができる。
（実施形態４）
ところで、実施形態３では、アーム２１を略矩形状に形成し貫通孔２５ｂを形成することによって全体的な剛性を高めたが、その結果、操作釦１１ａを押し込むのに大きな力が必要となっている。
【００４２】
そこで本実施形態では、図１０〜図１２に示すように、アーム２１を基部から先端側に向かうにつれて幅広になるよに形成するとともに、このアーム２１に貫通孔２５ｂを周縁がアーム２１周部に沿うように形成している。これにより、アーム２１基部から先端側にかけてアーム片２１ａ’の長さが実施形態３のアーム片２１ａ’よりも長くなって、アーム片２１ａ’は、押込み部２３の押し込み方向と略垂直な方向に撓み易くなり、操作釦１１ａを実施形態３よりも弱い力で押し込んで、２つの係合爪２２ａを変位させることができる。
【００４３】
例えば、操作釦１１ａを実施形態３よりも小さい０．０９８［Ｎ］（１０．０［ｇｆ］）の操作力で１．５８［ｍｍ］まで押し込むことができる。またこのときには、各係合爪２２ａをｚ軸方向に実施形態３よりもさらに長く、１．５７［ｍｍ］変位させることができるとともに、係合爪２２ａのｘ軸方向及びｙ軸方向の変位量をそれぞれ実施形態３と同程度の０．０１［ｍｍ］、−０．１９［ｍｍ］とすることができる。なお、上述のように操作釦１１ａを押し込んだときには、０．０７１［Ｎ］（７．２［ｇｆ］）の復帰力がかかっている。
【００４４】
さらに、各係合爪２２ａを突出片２２の突出方向に４９［Ｎ］の力で引っ張ったときには、各係合爪２２ａのｚ軸方向及びｘ軸方向並びにｙ軸方向の変位量は、実施形態３と略同程度であって、それぞれ−０．８６［ｍｍ］、０．０６［ｍｍ］、０．１６［ｍｍ］である。従って、レセプタクルＡに挿入して各係合爪２２ａを係合孔４２に係合させてハウジング１０をレセプタクルＡと反対方向に引っ張ったときにも、アーム２１先端側の内側への変形、及び引っ張り方向への変形を実施形態３と同程度に抑えることができる。
【００４５】
【発明の効果】
請求項１の発明は、コンタクトを有し、レセプタクルに挿抜することで前記コンタクトとレセプタクルに具備されたコンタクトとが接離されるコネクタプラグであって、コンタクトが内部に配設されるハウジングと、ハウジングに収納されるベースと、ベースに突設された弾性を有するアームと、アーム先端から突出して先端部に係合爪を有する突出片と、アーム先端側に配置され、押し込まれることにより、アームに当接して押し込み方向に略垂直な方向にアームを撓ませ、突出片の係合爪をレセプタクルの係合部に係脱自在に変位させる押込み部とを備え、アームの少なくとも基部にアームを貫通する貫通部を設け、アームを略Ｔ字状に形成して先端側が幅広になるようにベースから突出させるとともに、貫通部をアーム基部から先端に達するまで設け、突出片をアーム先端側の貫通部を間に挟んだ幅広方向両端部からそれぞれ略平行に配列するように突出させたので、アーム先端部における押込み部に当接する作用点に、アーム先端部を内側に撓ませる支点を近付けて、作用点と支点との距離を短くし、従来例のようなアーム先端部の内側への撓みを抑えるとともに、アームを押込み部の押し込み方向と略垂直な方向に撓み易くして、押し込み部の押し込み量に応じて係合爪を適切に変位させることができるという効果がある。
【００４７】
請求項２の発明は、コンタクトを有し、レセプタクルに挿抜することで前記コンタクトとレセプタクルに具備されたコンタクトとが接離されるコネクタプラグであって、コンタクトが内部に配設されるハウジングと、ハウジングに収納されるベースと、ベースに突設された弾性を有するアームと、アーム先端から突出して先端部に係合爪を有する突出片と、アーム先端側に配置され、押し込まれることにより、アームに当接して押し込み方向に略垂直な方向にアームを撓ませ、突出片の係合爪をレセプタクルの係合部に係脱自在に変位させる押込み部とを備え、アームの少なくとも基部にアームを貫通する貫通部を設け、アームを基部から先端側に向かうにつれて幅広になるように形成するとともに、貫通部をアーム基部から先端に達するまで先端側に向かうにつれて幅広となるように設け、突出片をアーム先端側の貫通部を間に挟んだ幅広方向両端部からそれぞれ略平行に配列するように突出させたので、貫通部を先端側が幅広と成るように設けたことによって、アーム先端部における押込み部に当接する作用点を請求項１の発明よりも、アーム先端部を内側に撓ませる支点に近付けて、作用点と支点との距離を短くし、アーム先端部の内側への撓みを抑えるとともに、アームを押込み部の押し込み方向と略垂直な方向に撓み易くして、押し込み部の押し込み量に応じて係合爪を適切に変位させることができ、さらに、レセプタクルに挿入して２つの係合爪をレセプタクルの係合部に係合させた状態で、挿入方向を軸にひねる力を加えてもアーム先端側に力が加わり難く、アームの変形を抑えて係合爪とレセプタクルの係合部との係合を外れ難くすることができるという効果がある。
【００４８】
請求項３の発明は、コンタクトを有し、レセプタクルに挿抜することで前記コンタクトとレセプタクルに具備されたコンタクトとが接離されるコネクタプラグであって、コンタクトが内部に配設されるハウジングと、ハウジングに収納されるベースと、ベースに突設された弾性を有するアームと、アーム先端から突出して先端部に係合爪を有する突出片と、アーム先端側に配置され、押し込まれることにより、アームに当接して押し込み方向に略垂直な方向にアームを撓ませ、突出片の係合爪をレセプタクルの係合部に係脱自在に変位させる押込み部とを備え、アームの少なくとも基部にアームを貫通する貫通部を設け、アームを略矩形状に形成し、貫通部の周縁がアーム周部に沿うように貫通部を孔状に形成するとともに、突出片をアーム先端側のアーム突出方向に略垂直な方向の両端部からそれぞれ略平行に配列するように突出させたので、アーム先端部における押込み部に当接する作用点を、アーム先端部を内側に撓ませる支点に近付けて、作用点と支点との距離を短くし、アーム先端部の内側への撓みを抑えて、押し込み部の押し込み量に応じて係合爪を適切に変位させることができるとともに、アームの全体的な剛性を高め、レセプタクルに挿入して２つの係合爪をレセプタクルの係合部に係合させた状態で、挿入方向を軸にひねる力を加えても、挿入方向と反対側に引っ張る力を加えても、アームの変形を抑えて係合爪とレセプタクルの係合部との係合を外れ難くすることができ、またアームの変形による２つの係合爪のベースからの距離のバラツキを抑えることができるという効果がある。
【００４９】
請求項４の発明は、コンタクトを有し、レセプタクルに挿抜することで前記コンタクトとレセプタクルに具備されたコンタクトとが接離されるコネクタプラグであって、コンタクトが内部に配設されるハウジングと、ハウジングに収納されるベースと、ベースに突設された弾性を有するアームと、アーム先端から突出して先端部に係合爪を有する突出片と、アーム先端側に配置され、押し込まれることにより、アームに当接して押し込み方向に略垂直な方向にアームを撓ませ、突出片の係合爪をレセプタクルの係合部に係脱自在に変位させる押込み部とを備え、アームの少なくとも基部にアームを貫通する貫通部を設け、アームを基部から先端側に向かうにつれて幅広になるように形成し、貫通部の周縁がアーム周部に沿うように貫通部を孔状に形成するとともに、突出片をアーム先端側の幅広方向両端部からそれぞれ略平行に配列するように突出させたので、アーム先端部における押込み部に当接する作用点を、アーム先端部を内側に撓ませる支点に近付けて、作用点と支点との距離を短くし、アーム先端部の内側への撓みを抑えて、押し込み部の押し込み量に応じて係合爪を適切に変位させることができるとともに、アームの全体的な剛性を高め、レセプタクルに挿入して２つの係合爪をレセプタクルの係合部に係合させた状態で、挿入方向を軸にひねる力を加えても、挿入方向と反対側に引っ張る力を加えても、アームの変形を抑えて係合爪とレセプタクルの係合部との係合を外れ難くすることができ、またアームの変形による２つの係合爪のベースからの距離のバラツキを抑えることができ、さらに、請求項３の発明と比べてアームにおける貫通部を間に挟む両側部の長さが長くなることによって、アームを押込み部の押し込み方向と略垂直な方向に撓み易くして、弱い力で押し込み部を押し込んで係合爪を変位させることができるという効果がある。
【図面の簡単な説明】
【図１】実施形態１を示す（ａ）は正面要部透視図、（ｂ）は側面図である。
【図２】同上のシェルを示す（ａ）は正面図、（ｂ）は側面図、（ｃ）は上面図である。
【図３】同上のアーム及び突出片を示す正面図である。
【図４】実施形態２を示す（ａ）は正面要部透視図、（ｂ）は側面図である。
【図５】同上のシェルを示す（ａ）は正面図、（ｂ）は側面図、（ｃ）は上面図である。
【図６】同上のアーム及び突出片を示す正面図である。
【図７】実施形態３を示す（ａ）は正面要部透視図、（ｂ）は側面図である。
【図８】同上のシェルを示す（ａ）は正面図、（ｂ）は側面図、（ｃ）は上面図である。
【図９】同上のアーム及び突出片を示す正面図である。
【図１０】実施形態４を示す（ａ）は正面要部透視図、（ｂ）は側面図である。
【図１１】同上のシェルを示す（ａ）は正面図、（ｂ）は側面図、（ｃ）は上面図である。
【図１２】同上のアーム及び突出片を示す正面図である。
【図１３】コネクタプラグとレセプタクルを示す斜視図である。
【図１４】従来例を示す（ａ）は正面要部透視図、（ｂ）は側面図である。
【図１５】同上のシェルを示す（ａ）は正面図、（ｂ）は側面図、（ｃ）は上面図である。
【図１６】同上のシェルの要部上面図である。
【図１７】同上の突出片の変位を示す説明図である。
【図１８】突出片の変位方向を示す説明図である。
【符号の説明】
１０  ハウジング
２０  シェル
２０ａ  ベース
２１  アーム
２１ａ  アーム片
２２  突出片
２２ａ  係合爪
２３  押圧部
２３ａ  傾斜面
２５ａ  スリット
４１  箱体
４２  係合孔
【図１】
0004045740.tif 000002
【図２】
0004045740.tif 000003
【図３】
0004045740.tif 000004
【図４】
0004045740.tif 000005
【図５】
0004045740.tif 000006
【図６】
0004045740.tif 000007
【図７】
0004045740.tif 000008
【図８】
0004045740.tif 000009
【図９】
0004045740.tif 000010
【図１０】
0004045740.tif 000011
【図１１】
0004045740.tif 000012
【図１２】
0004045740.tif 000013
【図１３】
0004045740.tif 000014
【図１４】
0004045740.tif 000015
【図１５】
0004045740.tif 000016
【図１６】
0004045740.tif 000017
【図１７】
0004045740.tif 000018
【図１８】
0004045740.tif 000019